【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
現像剤を収容する現像剤収容部と、
前記現像剤収容部の長手方向の一端部寄りの角部に設けられた現像剤供給口と、
前記現像剤収容部の内部に収容された現像剤を攪拌しつつ、前記現像剤供給口へと搬送する可撓性シート状部材を有し、その先端部が前記現像剤収容部の内壁に摺接した状態で、当該現像剤収容部内の前記現像剤供給口側に偏芯して回転自在に配設される攪拌搬送部材と、
を備えた現像剤収容容器の内部に前記現像剤供給口から現像剤を補給する際に、
前記現像剤収容容器を前記現像剤供給口が上方に位置するように保持し、
前記攪拌搬送部材の先端が前記現像剤供給口以外の位置であって、かつ、当該攪拌搬送部材の基端部が前記現像剤供給口の開口面と平行な方向から当該現像剤供給口と反対側に向いている状態で、前記現像剤供給口から現像剤を補給することを特徴とする現像剤補給方法。
【請求項２】
現像剤を収容する内壁が４つの壁面によって囲まれる現像剤収容部と、
前記現像剤収容部の長手方向の一端部寄りの角部に設けられた現像剤供給口と、
前記現像剤収容部の内部に収容された現像剤を攪拌しつつ、前記現像剤供給口へと搬送する可撓性シート状部材を有し、その先端部が前記現像剤収容部の内壁に摺接した状態で、当該現像剤収容部内の前記現像剤供給口側に偏芯して回転自在に配設される攪拌搬送部材と、
を備えた現像剤収容容器の内部に前記現像剤供給口から現像剤を補給する際に、
前記現像剤収容容器を前記現像剤供給口が上方に位置するように保持し、
前記攪拌搬送部材の先端が前記現像剤供給口を通過してから、当該現像剤供給口の前記攪拌搬送部材の回転方向の下流側に連続する第１の内壁、第２の内壁、及び第３の内壁のいずれかに、前記攪拌搬送部材の先端が摺接する状態で、前記現像剤供給口から現像剤を補給することを特徴とする現像剤補給方法。
【請求項３】
前記攪拌搬送部材の先端が、前記現像剤供給口と反対側に位置する状態で、前記現像剤供給口から現像剤を補給することを特徴とする請求項１又は２に記載の現像剤補給方法。
【請求項４】
前記攪拌搬送部材を回動させた状態で、前記現像剤供給口から現像剤を補給することを特徴とする請求項１乃至３のいずれか１項に記載の現像剤補給方法。
【請求項５】
前記攪拌搬送部材を揺動させた状態で、前記現像剤供給口から現像剤を補給することを特徴とする請求項１乃至３のいずれか１項に記載の現像剤補給方法。
【請求項６】
前記攪拌搬送部材を振動させた状態で、前記現像剤供給口から現像剤を補給することを特徴とする請求項１乃至３のいずれか１項に記載の現像剤補給方法。
【請求項７】
前記攪拌搬送部材の可撓性シート状部材には、前記現像剤供給口に対応した位置にスリットが設けられていることを特徴とする請求項１乃至６の何れか１項に記載の現像剤補給方法。
【請求項８】
前記攪拌搬送部材の可撓性シート状部材には、前記現像剤供給口から現像剤を掻き出すための突片が設けられていることを特徴とする請求項１乃至７の何れか１項に記載の現像剤補給方法。
【請求項９】
前記攪拌搬送部材は、可撓性シート状部材と反対の方向に延びた現像剤均し部材を有することを特徴とする請求項１乃至８の何れか１項に記載の現像剤補給方法。
【請求項１０】
前記攪拌搬送部材の回転軸には、駆動ギアが設けられていることを特徴とする請求項１乃至９の何れか１項に記載の現像剤補給方法。
【請求項１１】
前記現像剤供給口には、当該現像剤供給口を開閉するシャッター部材が設けられていることを特徴とする請求項１乃至１０の何れか１項に記載の現像剤補給方法。
【請求項１２】
請求項１乃至１１の何れか１項に記載の現像剤補給方法により現像剤が補給された現像剤収容容器。
【手続補正２】
【補正対象書類名】明細書
【補正対象項目名】０００１
【補正方法】変更
【補正の内容】
【０００１】
この発明は、トナーカートリッジ等の現像剤収容容器の現像剤補給方法及び現像剤収容容器に関するものである。
【手続補正３】
【補正対象書類名】明細書
【補正対象項目名】０００７
【補正方法】変更
【補正の内容】
【０００７】
そこで、この発明は、上記従来技術に鑑みてなされたものであり、現像剤収容容器の現像剤供給口から現像剤を補充する際の作業効率を改善することが可能な現像剤収容容器の現像剤補給方法及び現像剤収容容器を提供することを課題とするものである。
【手続補正４】
【補正対象書類名】明細書
【補正対象項目名】０００８
【補正方法】変更
【補正の内容】
【０００８】
すなわち、請求項１に記載された発明は、現像剤を収容する現像剤収容部と、
前記現像剤収容部の長手方向の一端部寄りの角部に設けられた現像剤供給口と、
前記現像剤収容部の内部に収容された現像剤を攪拌しつつ、前記現像剤供給口へと搬送する可撓性シート状部材を有し、その先端部が前記現像剤収容部の内壁に摺接した状態で、当該現像剤収容部内の前記現像剤供給口側に偏芯して回転自在に配設される攪拌搬送部材と、
を備えた現像剤収容容器の内部に前記現像剤供給口から現像剤を補給する際に、
前記現像剤収容容器を前記現像剤供給口が上方に位置するように保持し、
前記攪拌搬送部材の先端が前記現像剤供給口以外の位置であって、かつ、当該攪拌搬送部材の基端部が前記現像剤供給口の開口面と平行な方向から当該現像剤供給口と反対側に向いている状態で、前記現像剤供給口から現像剤を補給することを特徴とする現像剤補給方法である。
【手続補正５】
【補正対象書類名】明細書
【補正対象項目名】０００９
【補正方法】変更
【補正の内容】
【０００９】
また、請求項２に記載された発明は、現像剤を収容する内壁が４つの壁面によって囲まれる現像剤収容部と、
前記現像剤収容部の長手方向の一端部寄りの角部に設けられた現像剤供給口と、
前記現像剤収容部の内部に収容された現像剤を攪拌しつつ、前記現像剤供給口へと搬送する可撓性シート状部材を有し、その先端部が前記現像剤収容部の内壁に摺接した状態で、当該現像剤収容部内の前記現像剤供給口側に偏芯して回転自在に配設される攪拌搬送部材と、
を備えた現像剤収容容器の内部に前記現像剤供給口から現像剤を補給する際に、
前記現像剤収容容器を前記現像剤供給口が上方に位置するように保持し、
前記攪拌搬送部材の先端が前記現像剤供給口を通過してから、当該現像剤供給口の前記攪拌搬送部材の回転方向の下流側に連続する第１の内壁、第２の内壁、及び第３の内壁のいずれかに、前記攪拌搬送部材の先端が摺接する状態で、前記現像剤供給口から現像剤を補給することを特徴とする現像剤補給方法である。
【手続補正６】
【補正対象書類名】明細書
【補正対象項目名】００１０
【補正方法】変更
【補正の内容】
【００１０】
さらに、請求項３に記載された発明は、前記攪拌搬送部材の先端が、前記現像剤供給口と反対側に位置する状態で、前記現像剤供給口から現像剤を補給することを特徴とする請求項１又は２に記載の現像剤補給方法である。
【手続補正７】
【補正対象書類名】明細書
【補正対象項目名】００１１
【補正方法】変更
【補正の内容】
【００１１】
又、請求項４に記載された発明は、前記攪拌搬送部材を回動させた状態で、前記現像剤供給口から現像剤を補給することを特徴とする請求項１乃至３のいずれか１項に記載の現像剤補給方法である。
【手続補正８】
【補正対象書類名】明細書
【補正対象項目名】００１２
【補正方法】変更
【補正の内容】
【００１２】
更に、請求項５に記載された発明は、前記攪拌搬送部材を揺動させた状態で、前記現像剤供給口から現像剤を補給することを特徴とする請求項１乃至３のいずれか１項に記載の現像剤補給方法である。
【手続補正９】
【補正対象書類名】明細書
【補正対象項目名】００１３
【補正方法】変更
【補正の内容】
【００１３】
また、請求項６に記載された発明は、前記攪拌搬送部材を振動させた状態で、前記現像剤供給口から現像剤を補給することを特徴とする請求項１乃至３のいずれか１項に記載の現像剤補給方法である。
【手続補正１０】
【補正対象書類名】明細書
【補正対象項目名】００１４
【補正方法】変更
【補正の内容】
【００１４】
さらに、請求項７に記載された発明は、前記攪拌搬送部材の可撓性シート状部材には、前記現像剤供給口に対応した位置にスリットが設けられていることを特徴とする請求項１乃至６の何れか１項に記載の現像剤補給方法である。
【手続補正１１】
【補正対象書類名】明細書
【補正対象項目名】００１５
【補正方法】変更
【補正の内容】
【００１５】
又、請求項８に記載された発明は、前記攪拌搬送部材の可撓性シート状部材には、前記現像剤供給口から現像剤を掻き出すための突片が設けられていることを特徴とする請求項１乃至７の何れか１項に記載の現像剤補給方法である。
【手続補正１２】
【補正対象書類名】明細書
【補正対象項目名】００１６
【補正方法】変更
【補正の内容】
【００１６】
更に、請求項９に記載された発明は、前記攪拌搬送部材は、可撓性シート状部材と反対の方向に延びた現像剤均し部材を有することを特徴とする請求項１乃至８の何れか１項に記載の現像剤補給方法である。
【手続補正１３】
【補正対象書類名】明細書
【補正対象項目名】００１７
【補正方法】変更
【補正の内容】
【００１７】
また、請求項１０に記載された発明は、前記攪拌搬送部材の回転軸には、駆動ギアが設けられていることを特徴とする請求項１乃至９の何れか１項に記載の現像剤補給方法である。
【手続補正１４】
【補正対象書類名】明細書
【補正対象項目名】００１８
【補正方法】変更
【補正の内容】
【００１８】
さらに、請求項１１に記載された発明は、前記現像剤供給口には、当該現像剤供給口を開閉するシャッター部材が設けられていることを特徴とする請求項１乃至１０の何れか１項に記載の現像剤補給方法である。
また、請求項１２に記載された発明は、請求項１乃至１１の何れか１項に記載の現像剤補給方法により現像剤が補給された現像剤収容容器である。